(57)【要約】【課題】脚部の破損が抑制されるパレットを提供する。【解決手段】本発明によれば、パレットであって、樹脂成形体と、補強材を備え、前記樹脂成形体は、貨物が載置されるパネル部と、前記パネル部から下方に突出する複数の脚部を備え、前記複数の脚部のうちの隣接する２つの間に、フォークリフトのフォークが挿入されるフォーク挿入路が設けられ、前記脚部は、前記フォーク挿入路の挿入口に隣接した隣接部位が前記補強材で覆われて補強される、パレットが提供される。【選択図】図１
2020059542.tif 000002
【特許請求の範囲】
【請求項１】
パレットであって、
樹脂成形体と、補強材を備え、
前記樹脂成形体は、貨物が載置されるパネル部と、前記パネル部から下方に突出する複数の脚部を備え、
前記複数の脚部のうちの隣接する２つの間に、フォークリフトのフォークが挿入されるフォーク挿入路が設けられ、
前記脚部は、前記フォーク挿入路の挿入口に隣接した隣接部位が前記補強材で覆われて補強される、パレット。
【請求項２】
請求項１に記載のパレットであって、
前記脚部は、２つの端脚部と、辺脚部を備え、
前記２つの端脚部は、前記パネル部の辺の両端に設けられ、
前記辺脚部は、前記両端の間に設けられ、
前記２つの端脚部のそれぞれと、前記辺脚部の間に前記フォーク挿入路が設けられる、パレット。
【請求項３】
請求項２に記載のパレットであって、
前記補強材は、前記辺脚部を補強する辺脚部補強材を含み、
前記辺脚部補強材は、前記辺脚部の２つの側面とその間の外面を覆うように構成され、
前記辺脚部の前記２つの側面は、前記辺脚部に隣接する互いに平行な２つの前記フォーク挿入路側に向いた面であり、
前記辺脚部の前記外面は、前記パネル部の外側に向いた面である、パレット。
【請求項４】
請求項２又は請求項３に記載のパレットであって、
前記補強材は、前記端脚部を補強する端脚部補強材を含み、
前記端脚部補強材は、前記端脚部の２つの側面とその間の外面を覆うように構成され、
前記端脚部の前記２つの側面は、前記端脚部に隣接する互いに交差する２つの前記フォーク挿入路側に向いた面であり、
前記端脚部の前記外面は、前記パネル部の外側に向いた面である、パレット。
【請求項５】
請求項１〜請求項４の何れか１つに記載のパレットであって、
前記補強材は、金属板が折り曲げられて構成される、パレット。
【請求項６】
請求項１〜請求項５の何れか１つに記載のパレットであって、
前記樹脂成形体は、中空部を有する中空成形体であり、
前記脚部は、非中空壁を備え、
前記補強材は、前記非中空壁に固定される、パレット。
【請求項７】
請求項１〜請求項６の何れか１つに記載のパレットであって、
前記補強材は、前記補強材の下端が、前記脚部の下面よりも高い位置になるように前記脚部に装着される、パレット。
【発明の詳細な説明】
【技術分野】
【０００１】
本発明は、貨物の搬送に利用可能なパレットに関する。
【背景技術】
【０００２】
特許文献１のパレットは、貨物が載置されるパネル部から下方に突出する複数の脚部を備え、隣接する脚部の間に、フォークリフトのフォークが挿入されるフォーク挿入路が設けられる。
【先行技術文献】
【特許文献】
【０００３】
【特許文献１】特開２００８−２７３５８７号公報
【発明の概要】
【発明が解決しようとする課題】
【０００４】
特許文献１のパレットは、フォーク挿入路にフォークを挿入した後にフォークを上昇させることによって搬送可能になるが、フォークを挿入する際にフォークが脚部に衝突して脚部が破損する場合がある。
【０００５】
本発明はこのような事情に鑑みてなされたものであり、脚部の破損が抑制されるパレットを提供するものである。
【課題を解決するための手段】
【０００６】
本発明によれば、パレットであって、樹脂成形体と、補強材を備え、前記樹脂成形体は、貨物が載置されるパネル部と、前記パネル部から下方に突出する複数の脚部を備え、前記複数の脚部のうちの隣接する２つの間に、フォークリフトのフォークが挿入されるフォーク挿入路が設けられ、前記脚部は、前記フォーク挿入路の挿入口に隣接した隣接部位が前記補強材で覆われて補強される、パレットが提供される。
【０００７】
本発明のパレットの脚部は、フォーク挿入路の挿入口に隣接した部位が補強材で覆われて補強されている。このため、フォークの挿入時にフォークが脚部に衝突しても脚部が破損されにくい。
【０００８】
以下、本発明の種々の実施形態を例示する。以下に示す実施形態は互いに組み合わせ可能である。
好ましくは、前記記載のパレットであって、前記脚部は、２つの端脚部と、辺脚部を備え、前記２つの端脚部は、前記パネル部の辺の両端に設けられ、前記辺脚部は、前記両端の間に設けられ、前記２つの端脚部のそれぞれと、前記辺脚部の間に前記フォーク挿入路が設けられる、パレットである。
好ましくは、前記記載のパレットであって、前記補強材は、前記辺脚部を補強する辺脚部補強材を含み、前記辺脚部補強材は、前記辺脚部の２つの側面とその間の外面を覆うように構成され、前記辺脚部の前記２つの側面は、前記辺脚部に隣接する互いに平行な２つの前記フォーク挿入路側に向いた面であり、前記辺脚部の前記外面は、前記パネル部の外側に向いた面である、パレットである。
好ましくは、前記記載のパレットであって、前記補強材は、前記端脚部を補強する端脚部補強材を含み、前記端脚部補強材は、前記端脚部の２つの側面とその間の外面を覆うように構成され、前記端脚部の前記２つの側面は、前記端脚部に隣接する互いに交差する２つの前記フォーク挿入路側に向いた面であり、前記端脚部の前記外面は、前記パネル部の外側に向いた面である、パレットである。
好ましくは、前記記載のパレットであって、前記補強材は、金属板が折り曲げられて構成される、パレットである。
好ましくは、前記記載のパレットであって、前記樹脂成形体は、中空部を有する中空成形体であり、前記脚部は、非中空壁を備え、前記補強材は、前記非中空壁に固定される、パレットである。
好ましくは、前記記載のパレットであって、前記補強材は、前記補強材の下端が、前記脚部の下面よりも高い位置になるように前記脚部に装着される、パレットである。
【図面の簡単な説明】
【０００９】
【図１】図１Ａは、本発明の第１実施形態のパレット１の斜視図である。図１Ｂは、図１Ａ中の領域Ｂの拡大図である。
【図２】図２Ａは、図１Ｂに対応する部位の左側面図である。図２Ｂは、図１Ｂに対応する部位の底面図である。
【図３】図１のパレット１を下側から見た斜視図である。
【図４】図１Ｂに対応する部位の分解斜視図である。
【図５】図５Ａ〜図５Ｂは、それぞれ、図２Ａ〜図２Ｂから補強材３を除いた状態の樹脂成形体２を示す。
【図６】図６Ａ〜図６Ｂは、端脚部補強材３１の左側面図及び底面図である（図２Ａ〜図２Ｂに対応）。
【図７】図７Ａ〜図７Ｂは、辺脚部補強材３２の左側面図及び底面図である（図２Ａ〜図２Ｂに対応）。
【発明を実施するための形態】
【００１０】
以下、本発明の実施形態について説明する。以下に示す実施形態中で示した各種特徴事項は、互いに組み合わせ可能である。また、各特徴事項について独立して発明が成立する。
【００１１】
１．第１実施形態
図１は、本発明の第１実施形態のパレット１を示す。パレット１上に側壁となるスリーブ（不図示）が載置され、スリーブ上に蓋（不図示）が配置されることによって搬送コンテナが構成される。パレット１は、搬送コンテナの底になる。
【００１２】
パレット１は、樹脂成形体２と、補強材３を備える。以下、各構成について詳述する。以下の説明において、前（ＦＲＯＮＴ）・後（ＢＡＣＫ）・左（ＬＥＦＴ）・右（ＲＩＧＨＴ）は、図１Ａで示す定義に従う。パレット１は、左右方向の中央面に関して対称であり、且つ前後方向の中央面に関しても対称である。
【００１３】
樹脂成形体２は、樹脂の成形体であり、好ましくは、中空部を有する中空成形体である。中空成形体は、例えばパリソンのブロー成形又は真空成形によって形成可能である。図１Ａに示すように、樹脂成形体２は、貨物が載置されるパネル部４と、パネル部４から下方に突出する複数の脚部５を備える。複数の脚部５のうちの隣接する２つの間に、フォークリフトのフォークが挿入されるフォーク挿入路６が設けられる。脚部５は、フォーク挿入路６の挿入口に隣接した隣接部位６ａが補強材３で覆われて補強される。これによって、フォークの挿入時に、操作ミス等によってフォークが脚部５に衝突したときに脚部５が損傷することが抑制される。
【００１４】
図１Ｂに示すように、パネル部４は、上板４ａと下板４ｂがリブ４ｃによって隔てられて構成される。リブ４ｃは、インナーリブであり、上板４ａと下板４ｂの間に立設するように設けられる。上板４ａと下板４ｂの間の空間が中空部となる。これによって、軽量で高強度になっている。図１Ａに示すように、パネル部４の周囲には、載置溝４ｄが設けられている。スリーブは載置溝４ｄに嵌め込まれて固定される。
【００１５】
脚部５は、パネル部４と一体に形成される。図４に示すように、脚部５は、下面５ａと、これを取り囲む周面５ｂを備える。周面５ｂには非中空（つまり、中実）である非中空壁が設けられ、非中空壁に補強材３が固定具（ボルトとナットや、リベットなど）を用いて装着される。非中空壁は、パリソンを圧縮して形成することができ、通常、中空壁よりも強度が高い。従って、非中空壁に補強材３を装着することによって、補強材３の装着強度を高めることができる。
【００１６】
補強材３は、金属（鋼、アルミなど）製であり、板状であり、プレス加工等によって所望形状に形成された金属板（例えば鋼板）が折り曲げられて構成される。補強材３は、溶接を行うことなく製造可能である。図２Ａに示すように、補強材３は、補強材３の下端３ａが、脚部５の下面５ａよりも高い位置になるように脚部５に装着される。これによって、パレット１を載置する載置面に補強材３が干渉して載置面や補強材３を損傷させることが抑制される。
【００１７】
図１Ａ及び図３に示すように、パネル部４の外形は、平面視で矩形状である。脚部５は、端脚部５１と、辺脚部５２と、中央脚部５３を含む。端脚部５１は、パネル部４の各辺の両端に設けられている（別の表現では、パネル部４の四隅に設けられている）。辺脚部５２は、パネル部４の各辺の両端の間に（好ましくは両端の中央に）設けられている。中央脚部５３は、パネル部４の中央に設けられている。隣接する端脚部５１と辺脚部５２の間にフォークリフトのフォークが挿入されるフォーク挿入路６が設けられる。各端脚部５１には、互いに交差（好ましくは直交）する２つのフォーク挿入路６が隣接する。各辺脚部５２には、互いに平行な２つのフォーク挿入路６が隣接する。
【００１８】
補強材３は、端脚部５１を補強する端脚部補強材３１と、辺脚部５２を補強する辺脚部補強材３２を含む。
【００１９】
図５Ｂに示すように、端脚部５１の周面５１ｂは、断面略矩形状であり、２つの外面５１ｂ１と、２つの側面５１ｂ２と、４つのコーナー部５１ｂ４を備える。外面５１ｂ１は、パネル部４の外側に向いた面である。側面５１ｂ２は、フォーク挿入路６側に向いた面である。コーナー部５１ｂ４は、隣接する面の間に設けられ、好ましくは、丸め又は面取りされている。端脚部５１の高さ方向の中央を通る断面において、側面５１ｂ２の長さに対する、コーナー部５１ｂ４の曲率半径の割合は、１〜３０％が好ましく、５〜１５％がさらに好ましく、具体的には例えば、１、５、１０、１５、２０、２５、３０％であり、ここで例示した数値の何れか２つの間の範囲内であってもよい。この割合が小さすぎるとフォークの衝突によってコーナー部５１ｂ４が損傷されやすく、この割合が大きすぎると、端脚部５１の断面積が小さくなって強度が不十分になりやすい。外面５１ｂ１と側面５１ｂ２の間のコーナー部５１ｂ４がフォーク挿入路６の挿入口に隣接した隣接部位６ａとなる。
【００２０】
図６に示すように、端脚部補強材３１は、２つの外面被覆部３１ａと、２つの側面被覆部３１ｂと、３つのコーナー被覆部３１ｃを備える。外面被覆部３１ａと側面被覆部３１ｂは、コーナー被覆部３１ｃを介して互いに連結されている。図６に示すように、端脚部補強材３１は、各外面被覆部３１ａの上端近傍の２つの固定孔３１ｄと、各側面被覆部３１ｂの上端近傍及び下端近傍の２つの固定孔３１ｄで、固定具を用いて周面５１ｂに固定される。このような固定方法によれば、端脚部補強材３１にフォークが衝突したときに端脚部補強材３１が周面５１ｂから浮き上がることが抑制される。また、外面被覆部３１ａの下端近傍で固定すると、パレット１を積み重ねたときに固定具が下側のパレット１と干渉しやすいが、外面被覆部３１ａの上端近傍で固定することによって上記干渉を抑制することができる
【００２１】
図６Ｂに示すように、２つの外面被覆部３１ａは、コーナー被覆部３１ｃを介して互いに直交するように連結されている。図２及び図５に示すように、外面被覆部３１ａは、外面５１ｂ１の少なくとも一部を覆い、外面５１ｂ１の略全面を覆うことが好ましく、被覆率（被覆された面積／外面５１ｂ１の面積）は、８０％以上が好ましく、具体的には例えば、８０、８５、９０、９５、１００％であり、ここで例示した数値の何れか２つの間の範囲内であってもよい。被覆率が小さいとフォークが外面被覆部３１ａに衝突したときに外面被覆部３１ａが外面５１ｂ１にめり込んで端脚部５１を損傷させる虞があるが、本実施形態では、被覆率が十分に大きいので、端脚部５１の損傷が抑制される。
【００２２】
図６Ｂに示すように、２つの側面被覆部３１ｂは、それぞれ、コーナー被覆部３１ｃを介して、２つの外面被覆部３１ａの端に連結されている。図２及び図５に示すように、側面被覆部３１ｂは、側面５１ｂ２の少なくとも一部を覆い、側面５１ｂ２うちコーナー部５１ｂ４に隣接した部位のみを覆うことが好ましい。このような部位のみを覆うことによって、隣接部位６ａとなるコーナー部５１ｂ４を適切に保護しつつ重量の増大を抑制することができるからである。被覆率（被覆された面積／側面５１ｂ２の面積）は、例えば、１〜１００％であり、５〜５０％が好ましく、具体的には例えば、１、５、１０、１５、２０、２５、３０、３５、４０、４５、５０、５５、６０、６５、７０、７５、８０、８５、９０、９５、１００％であり、ここで例示した数値の何れか２つの間の範囲内であってもよい。また、図２Ａ及び図５Ａに示すように、側面５１ｂ２の根本には湾曲部５１ｃが設けられており、側面被覆部３１ｂは、湾曲部５１ｃを覆っていない。このため、側面被覆部３１ｂの高さは、外面被覆部３１ａよりも低くなっている。
【００２３】
以上の構成によって、端脚部５１の２つの側面５１ｂ２とその間の外面５１ｂ１が端脚部補強材３１によって覆われて補強される。
【００２４】
図５Ｂに示すように、辺脚部５２の周面５２ｂは、断面略矩形状であり、外面５２ｂ１と、２つの側面５２ｂ２と、内面５２ｂ３と、コーナー部５２ｂ４を備える。外面５２ｂ１、側面５２ｂ２、及びコーナー部５２ｂ４の説明は、外面５１ｂ１、側面５１ｂ２、及びコーナー部５１ｂ４と同様である。内面５２ｂ３は、パネル部４の内側に向いた面である。
【００２５】
図７に示すように、辺脚部補強材３２は、外面被覆部３２ａと、２つの側面被覆部３２ｂと、２つのコーナー被覆部３２ｃを備える。外面被覆部３２ａ、側面被覆部３２ｂ、及びコーナー被覆部３２ｃの説明は、外面被覆部３１ａ、側面被覆部３１ｂ、及びコーナー被覆部３１ｃと同様である。図７に示すように、辺脚部補強材３２は、外面被覆部３２ａの上端近傍の２つの固定孔３２ｄと、各側面被覆部３２ｂの上端近傍及び下端近傍の２つの固定孔３２ｄで、固定具を用いて周面５２ｂに固定される。図２Ａ及び図５Ａに示すように、側面５２ｂ２の根本には湾曲部５２ｃが設けられており、側面被覆部３２ｂは、湾曲部５２ｃを覆っていない。このため、側面被覆部３２ｂの高さは、外面被覆部３２ａよりも低くなっている。
【００２６】
以上の構成によって、辺脚部５２の２つの側面５２ｂ２とその間の外面５２ｂ１が辺脚部補強材３２によって覆われて補強される。
【００２７】
２．その他実施形態
・脚部５は、断面略矩形以外の形状、例えば円、楕円、長円などであってもよい。
・側面５１ｂ２，５２ｂ２は、挿入口に向かってフォーク挿入路６の幅が広がるように構成されていてもよい。この場合、フォークが５１ｂ２，５２ｂ２に衝突するとフォークがフォーク挿入路６に向かって案内されるので、脚部５に加わる衝撃が低減される。
・脚部５の数は、パレット１のサイズを考慮して適宜決定される。例えば左右方向の長さが小さいパレットでは、左右方向の中央の３つの脚部５を省略して、６つの脚部５（４つの端脚部５１と、２つの辺脚部５２）を有するように構成してもよい。
・補強材３は、金属以外の材料（例えば樹脂）で形成してもよい。
・補強材３は、脚部５の全周を覆うように設けてもよい。
【符号の説明】
【００２８】
１        ：パレット
２        ：樹脂成形体
３        ：補強材
３ａ      ：下端
４        ：パネル部
４ａ      ：上板
４ｂ      ：下板
４ｃ      ：リブ
４ｄ      ：載置溝
５        ：脚部
５ａ      ：下面
５ｂ      ：周面
６        ：フォーク挿入路
６ａ      ：隣接部位
３１      ：端脚部補強材
３１ａ    ：外面被覆部
３１ｂ    ：側面被覆部
３１ｃ    ：コーナー被覆部
３１ｄ    ：固定孔
３２      ：辺脚部補強材
３２ａ    ：外面被覆部
３２ｂ    ：側面被覆部
３２ｃ    ：コーナー被覆部
３２ｄ    ：固定孔
５１      ：端脚部
５１ｂ    ：周面
５１ｂ１  ：外面
５１ｂ２  ：側面
５１ｂ４  ：コーナー部
５１ｃ    ：湾曲部
５２      ：辺脚部
５２ｂ    ：周面
５２ｂ１  ：外面
５２ｂ２  ：側面
５２ｂ３  ：内面
５２ｂ４  ：コーナー部
５２ｃ    ：湾曲部
５３      ：中央脚部
【図１】
2020059542.tif 000003
【図２】
2020059542.tif 000004
【図３】
2020059542.tif 000005
【図４】
2020059542.tif 000006
【図５】
2020059542.tif 000007
【図６】
2020059542.tif 000008
【図７】
2020059542.tif 000009